(57)【要約】      （修正有）【課題】インターネットと接続する、マルチメディアデータストリームをリモート装置に伝送するテレビ、テレビボックスおよび装置を提供する。【解決手段】データ変換モジュールは、前記マルチメディアデータストリームを複数個のマルチメディアパケットに変換する。制御ユニットは、前記インターネットを介して前記複数個のマルチメディアパケットを前記リモート装置に伝送する。テレビ処理ユニットは、前記マルチメディアデータストリームを受信して表示信号を生成し、表示ユニットに、前記表示信号に応じて、前記マルチメディアデータストリームによって形成される映像を放送させる。テレビはテレビボックスと表示ユニットを備えている。装置は制御ユニット、データ変換モジュール、公衆電話回線処理ユニットおよびユーザインターフェース回路を備えている。これにより、公衆電話、ＩＰ電話、ＩＰテレビ電話の通信、ならびにマルチメディアデータをリモート装置などに伝送する技術が統合される。【選択図】図１
0003137353.tif 000002
【実用新案登録請求の範囲】
【請求項１】
マルチメディアデータストリームをリモート装置に伝送するための、インターネットに接続されたテレビであって、
前記マルチメディアデータストリームを複数個のマルチメディアパケットに変換するデータ変換モジュールと、
前記データ変換モジュールに接続され、前記インターネットを介して前記複数個のマルチメディアパケットを前記リモート装置に伝送する制御ユニットと、
前記マルチメディアデータストリームを受信して表示信号を生成するテレビ処理ユニットと、
前記表示信号を受信して前記マルチメディアデータストリームによって形成される映像を放送する表示ユニットとを備えるテレビ。
【請求項２】
第１通信要求信号を受信する公衆電話回線処理ユニットをさらに備え、
前記制御ユニットが、前記第１通信要求信号に応じて第２通信要求信号を伝送するために、前記公衆電話回線処理ユニットにさらに接続されている、請求項１に記載のテレビ。
【請求項３】
ユーザ信号に応じて前記第１通信要求信号を前記公衆電話回線処理ユニットに伝送するための、公衆電話回線処理ユニットに電気的に接続されたユーザインターフェース回路をさらに備える、請求項２に記載のテレビ。
【請求項４】
前記ユーザインターフェースと前記公衆電話回線処理ユニットとに電気的に接続された第１電話線ポートをさらに備え、
前記ユーザインターフェース回路が、前記第１電話線ポートを介して前記第１通信要求信号を前記公衆電話回線処理ユニットに伝送する、請求項３に記載のテレビ。
【請求項５】
前記公衆電話回線処理ユニットが公衆電話網回線に接続されており、
前記テレビが、前記公衆電話網回線処理ユニットと前記公衆電話回線とに電気的に接続された第２電話線ポートをさらに備え、
前記制御ユニットが、前記第２通信要求信号を伝送するために、前記公衆電話回線処理ユニットを、前記第２電話線ポート経由で前記公衆電話網回線に接続する、請求項２に記載のテレビ。
【請求項６】
前記データ変換モジュールが、少なくとも１組のエンコード・デコード装置を備え、
各組のエンコード・デコード装置が、
前記制御ユニットと接続され、音声制御信号に応じて、複数個のネットワークパケットをデコードし、または音声ストリームをエンコードする、音声エンコード・デコードユニットと、
前記制御ユニットと接続され、ビデオ制御信号に応じて、前記複数個のネットワークパケットをデコードし、またはビデオストリームをエンコードする、ビデオエンコード・デコードユニットとを備え、
前記複数個のネットワークパケットが、前記インターネットから来たものである、請求項１に記載のテレビ。
【請求項７】
各組のエンコード・デコード装置が、
アナログ音声ストリームをデジタル形式である前記音声ストリームに変換し、前記音声ストリームを前記音声エンコード・デコードユニットに伝送するための、前記音声エンコード・デコードユニットに接続された第１ＡＤ／ＤＡ変換器と、
アナログビデオストリームをデジタル形式である前記ビデオストリームに変換し、前記ビデオストリームを前記ビデオエンコード・デコードユニットに伝送するための、前記ビデオエンコード・デコードユニットに接続された第２ＡＤ／ＤＡ変換器とをさらに備える、請求項６に記載のテレビ。
【請求項８】
それぞれ前記マルチメディアデータストリームを受信して、前記マルチメディアデータストリーム中の１チャネルを選択し、復調ビデオストリームおよび復調音声ストリームを生成する、複数個のテレビチューナをさらに備え、
前記複数のテレビチューナの１つが、対応する前記復調ビデオストリームおよび対応する前記復調音声ストリームを前記テレビ処理ユニットに伝送し、残りの前記複数のテレビチューナが、各自の前記復調ビデオストリームおよび前記復調音声ストリームを前記データ変換モジュールに伝送する、請求項１に記載のテレビ。
【請求項９】
前記ユーザインターフェース回路が、
ユーザ映像を取得し、前記データ変換モジュールにさらに伝送して、前記データ変換モジュールに前記ユーザ映像をエンコードさせる、映像取得装置を備える、請求項３に記載のテレビ。
【請求項１０】
前記ユーザインターフェース回路が、
前記制御ユニットによって伝送されたデコードビデオ信号または使用情報を受信する液晶表示制御ユニットと、前記デコードビデオ信号または前記使用情報を表示する液晶ディスプレイとを備えた液晶表示モジュールを備え、
前記デコードビデオ信号が、前記インターネットから伝送された複数個のネットワークパケットを前記データ変換モジュールがデコードした後に生成される、請求項３に記載のテレビ。
【請求項１１】
ユーザ映像を取得し、前記データ変換モジュールにさらに伝送して、前記データ変換モジュールに前記ユーザ映像をエンコードさせる、映像取得装置をさらに備える、請求項１に記載のテレビ。
【請求項１２】
前記制御ユニットによって伝送されたデコードビデオ信号または使用情報を受信する液晶表示制御ユニットと、前記デコードビデオ信号または前記使用情報を表示する液晶ディスプレイとを備えた液晶表示モジュールをさらに備え、
前記デコードビデオ信号が、前記インターネットから伝送された複数個のネットワークパケットを前記データ変換モジュールがデコードした後に生成される、請求項１に記載のテレビ。
【請求項１３】
前記公衆電話回線処理ユニットが、公衆電話網回線に接続され、前記制御ユニットが、
前記公衆電話網回線の状況、前記インターネットの状況およびユーザ設定に基づいて、第１インターネット通信プログラムを実行するマイクロプロセッサと、
前記マイクロプロセッサと前記インターネットを接続して、前記複数個のマルチメディアパケットの伝送および複数個のネットワークパケットの受信を制御するネットワーク制御回路と、
前記マイクロプロセッサに接続され、前記複数個のネットワークパケットの一時的格納およびデータへのアクセスに使用されるメモリモジュールとを備える、請求項２に記載のテレビ。
【請求項１４】
前記リモート装置が、第２インターネット通信プログラムを実行し、前記第１インターネット通信プログラムと前記第２インターネット通信プログラムがともにインターネットプロトコルをサポートする、請求項１３に記載のテレビ。
【請求項１５】
前記複数のテレビチューナの１つを制御するために、前記リモート装置のユーザ設定が、前記インターネットを経由して前記制御ユニットに伝送され、前記ユーザ設定が、スイッチ設定と選局設定とを含んでおり、前記制御ユニットがさらに、前記スイッチ設定に基づいてスイッチ信号を生成し、前記選局設定に基づいて前記選局信号を生成する、請求項８に記載のテレビ。
【請求項１６】
前記マルチメディアデータストリームが前記インターネットから受信したものであり、前記マルチメディアデータストリームが、前記データ変換モジュールでデコードされた後、さらに前記制御ユニットによって前記テレビ処理ユニットに伝送される、請求項１に記載のテレビ。
【請求項１７】
前記テレビ処理ユニットが、赤外線制御信号を受信して前記マルチメディアデータストリームを選択し、前記表示信号を生成させる、赤外線受信ユニットを備える、請求項１に記載のテレビ。
【請求項１８】
マルチメディアデータストリームをリモート装置に伝送するための、インターネットに接続されたテレビボックスであって、
前記マルチメディアデータストリームを複数個のマルチメディアパケットに変換するデータ変換モジュールと、
前記データ変換モジュールに接続され、前記インターネットを介して前記複数個のマルチメディアパケットを前記リモート装置に伝送する制御ユニットと、
前記マルチメディアデータストリームを受信して表示信号を生成し、前記表示信号に応じて、前記マルチメディアデータストリームによって形成される映像を表示ユニットに放送させるテレビ処理ユニットとを備えるテレビボックス。
【請求項１９】
第１通信要求信号を受信する公衆電話回線処理ユニットをさらに備え、
前記制御ユニットが、前記第１通信要求信号に応じて第２通信要求信号を伝送するために、前記公衆電話回線処理ユニットにさらに接続されている、請求項１８に記載のテレビボックス。
【請求項２０】
ユーザ信号に応じて前記第１通信要求信号を前記公衆電話回線処理ユニットに伝送するための、前記公衆電話回線処理ユニットに電気的に接続されたユーザインターフェース回路をさらに備える、請求項１９に記載のテレビボックス。
【請求項２１】
前記ユーザインターフェースと前記公衆電話回線処理ユニットとに電気的に接続された第１電話線ポートをさらに備え、
前記ユーザインターフェース回路が、前記第１電話線ポートを介して前記第１通信要求信号を前記公衆電話回線処理ユニットに伝送する、請求項２０に記載のテレビボックス。
【請求項２２】
前記制御ユニットは、前記インターネットを介して前記第２通信要求信号を伝送する、請求項１９に記載のテレビボックス。
【請求項２３】
前記公衆電話回線処理ユニットがさらに公衆電話網回線に接続されており、前記制御ユニットが、前記公衆電話回線処理ユニットに、前記公衆電話網回線を介して前記第２通信要求信号を伝送させる、請求項１９に記載のテレビボックスボックス。
【請求項２４】
前記公衆電話回線処理ユニットが公衆電話網回線に接続されており、
前記テレビボックスが、前記公衆電話回線処理ユニットと前記公衆電話網回線とに電気的に接続された第２電話線ポートをさらに備え、
前記制御ユニットが、前記第２通信要求信号を伝送するために、前記公衆電話回線処理ユニットを、前記第２電話線ポート経由で前記公衆電話網回線に接続する、請求項２３に記載のテレビボックス。
【請求項２５】
前記データ変換モジュールが、少なくとも１組のエンコード・デコード装置を備え、
各組のエンコード・デコード装置が、
前記制御ユニットと接続され、音声制御信号に応じて、複数個のネットワークパケットをデコードし、または音声ストリームをエンコードする、音声エンコード・デコードユニットと、
前記制御ユニットと接続され、ビデオ制御信号に応じて、前記複数個の入力ネットワークパケットをデコードし、またはビデオストリームをエンコードする、ビデオエンコード・デコードユニットとを備え、
前記複数個のインターネットパケットが、前記インターネットから来たものである、請求項１８に記載のテレビボックス。
【請求項２６】
各組のエンコード・デコード装置が、
アナログ音声ストリームをデジタル形式である前記音声ストリームに変換し、前記音声ストリームを前記音声エンコード・デコードユニットに伝送するための、前記音声エンコード・デコードユニットに接続された第１ＡＤ／ＤＡ変換器と、
アナログビデオストリームをデジタル形式である前記ビデオストリームに変換し、前記ビデオストリームを前記ビデオエンコード・デコードユニットに伝送するための、前記ビデオエンコード・デコードユニットに接続された第２ＡＤ／ＤＡ変換器とをさらに備える、請求項２５に記載のテレビボックス。
【請求項２７】
それぞれ前記マルチメディアデータストリームを受信して、前記マルチメディアデータストリーム中の１チャネルを選択し、復調ビデオストリームおよび復調音声ストリームを生成する、複数個のテレビチューナをさらに備え、
前記複数テレビチューナの中の１つが、対応する前記復調ビデオストリームおよび対応する前記復調音声ストリームを前記テレビ処理ユニットに伝送し、残りの前記複数のテレビチューナが、各自の前記復調ビデオストリームおよび前記復調音声ストリームを前記データ変換モジュールに伝送する、請求項１８に記載のテレビボックス。
【請求項２８】
前記ユーザインターフェース回路が、
ユーザ映像を取得し、前記データ変換モジュールにさらに伝送して、前記データ変換モジュールに前記ユーザ映像をエンコードさせる、映像取得装置を備える、請求項２０に記載のテレビボックス。
【請求項２９】
前記ユーザインターフェース回路が、
前記制御ユニットによって伝送されたデコードビデオ信号または使用情報を受信する液晶表示制御ユニットと、前記デコードビデオ信号または前記使用情報を表示する液晶ディスプレイとを備えた液晶表示モジュールを備え、
前記デコードビデオ信号が、前記インターネットから伝送された複数個のネットワークパケットを前記データ変換モジュールがデコードした後に生成される、請求項２０に記載のテレビボックス。
【請求項３０】
ユーザ映像を取得し、前記データ変換モジュールにさらに伝送して、前記データ変換モジュールに前記ユーザ映像をエンコードさせる、映像取得装置をさらに備える、請求項１８に記載のテレビボックス。
【請求項３１】
前記制御ユニットによって伝送されたデコードビデオ信号または使用情報を受信する液晶表示制御ユニットと、前記デコードビデオ信号または前記使用情報を表示する液晶ディスプレイとを備えた液晶表示モジュールをさらに備え、
前記デコードビデオ信号が、前記インターネットから伝送された複数個のネットワークパケットを前記データ変換モジュールがデコードした後に生成される、請求項１８に記載のテレビボックス。
【請求項３２】
前記公衆電話回線処理ユニット、公衆電話網回線に接続され、前記制御ユニットが、
前記公衆電話網回線の状況、前記インターネットの状況およびユーザ設定に基づいて、第１インターネット通信プログラムを実行するマイクロプロセッサと、
前記マイクロプロセッサと前記インターネットを接続して、前記複数個のマルチメディアパケットの伝送および複数個のネットワークパケットの受信を制御するネットワーク制御回路と、
前記マイクロプロセッサに接続され、前記複数個のネットワークパケットの一時的格納およびデータへのアクセスに使用されるメモリモジュールとを備える、請求項１９に記載のテレビボックス。
【請求項３３】
前記リモート装置が、第２インターネット通信プログラムを実行し、前記第１インターネット通信プログラムと前記第２インターネット通信プログラムがともにインターネットプロトコルをサポートする、請求項３２に記載のテレビボックス。
【請求項３４】
前記複数のテレビチューナの１つを制御するために、前記リモート装置のユーザ設定が、前記インターネットを経由して前記制御ユニットに伝送され、前記ユーザ設定が、スイッチ設定と選局設定とを含んでおり、前記制御ユニットがさらに、前記スイッチ設定に基づいてスイッチ信号を生成し、前記選局設定に基づいて前記選局信号を生成する、請求項２７に記載のテレビボックス。
【請求項３５】
前記マルチメディアデータストリームが、前記インターネットから受信したものであり、前記マルチメディアデータストリームが、前記データ変換モジュールでデコードされた後、さらに前記制御ユニットによって前記テレビ処理ユニットに伝送される、請求項１８に記載のテレビボックス。
【請求項３６】
前記テレビ処理ユニットが、赤外線リモコン制御信号を受信して前記マルチメディアデータストリームを選択し、前記表示信号を生成させる、赤外線受信ユニットをさらに備える、請求項１８に記載のテレビボックス。
【請求項３７】
入力されたマルチメディアデータストリームをリモート装置に転送し、かつ公衆電話網の通信とインターネットの通信を統合するマルチメディアデータ転送通信装置であって、
第１インターネット通信プログラムを実行して、前記インターネット通信、前記公衆電話網通信および前記マルチメディアデータストリームの転送を実現させる制御ユニットと、
前記制御ユニットに接続され、前記複数個のネットワークパケットと前記マルチメディアデータストリームのデータ変換を行うデータ変換モジュールと、
公衆電話網インターフェースおよび前記制御ユニットに接続され、前記公衆電話網の電話を発信または受信する公衆電話回線処理ユニットとを備える、マルチメディアデータ転送通信装置。
【請求項３８】
前記データ変換モジュールが、
前記制御ユニットと接続され、音声制御信号に基づき、複数個の入力ネットワークパケットをデコード処理し、または音声ストリームである前記マルチメディアデータストリームをエンコード処理する、音声エンコード・デコードユニットを備えており、前記マルチメディアデータストリームが音声ストリームであり、かつ前記音声エンコード・デコードユニットが、ハードウェアまたはソフトウェア方式を利用して実行する、請求項３７に記載のマルチメディアデータ転送通信装置。
【請求項３９】
前記音声エンコード・デコードユニットでエンコードされた後のエンコード音声ストリームが、音声圧縮形式の規格をサポートしており、前記音声ストリームがデジタル形式であり、かつ前記音声制御信号が、前記制御ユニットによって生成されたものである、請求項３８に記載のマルチメディアデータ転送通信装置。
【請求項４０】
前記データ変換モジュールが、
前記音声エンコード・デコードユニットに接続された第１ＡＤ／ＤＡ変換器をさらに備えており、前記音声ストリームがアナログ形式であるときは、前記マルチメディアデータストリームがまず前記第１ＡＤ／ＤＡ変換器に送り込まれてアナログからデジタルに変換され、前記音声エンコード・デコードユニットにさらに伝送される、請求項３８に記載のマルチメディアデータ転送通信装置。
【請求項４１】
前記データ変換モジュールが、
前記制御ユニットと接続され、音声制御信号に基づき、前記複数個の入力ネットワークパケットをデコード処理し、またはビデオストリームである前記マルチメディアデータストリームをエンコード処理する、ビデオエンコード・デコードユニットを備えており、前記マルチメディアデータストリームがビデオストリームであり、かつ前記ビデオエンコード・デコードユニットが、ハードウェアまたはソフトウェア方式を利用して実行する、請求項３７に記載のマルチメディアデータ転送通信装置。
【請求項４２】
前記マルチメディアデータストリームがデジタル形式であり、前記ビデオエンコード・デコードユニットでエンコードされた後のエンコードビデオストリームが、ビデオ圧縮形式の規格をサポートしており、かつ前記ビデオ制御信号が、前記制御ユニットによって生成されたものである、請求項４１に記載のマルチメディアデータ転送通信装置。
【請求項４３】
前記データ変換モジュールが、
前記ビデオエンコード・デコードユニットに接続された第２ＡＤ／ＤＡ変換器をさらに備えており、前記ビデオストリームがアナログ形式であるときは、前記ビデオストリームがまず前記第２ＡＤ／ＤＡ変換器に送り込まれてアナログからデジタルに変換され、前記ビデオエンコード・デコードユニットにさらに伝送される、請求項４１に記載のマルチメディアデータ転送通信装置。
【請求項４４】
スイッチ信号と選局信号に基づいて前記マルチメディアデータストリームを提供する受信ユニットをさらに備え、前記制御ユニットが、前記ユーザ設定に基づいて前記スイッチ信号と選局信号を生成する、請求項３７に記載のマルチメディアデータ転送通信装置。
【請求項４５】
前記受信ユニットが、前記マルチメディアデータ転送通信装置の他の素子と１つに統合されている、請求項４４に記載のマルチメディアデータ転送通信装置。
【請求項４６】
前記受信ユニットを制御するために、前記リモート装置上の前記ユーザ設定が、前記リモート装置によって実行される第２インターネット通信プログラム、前記インターネットおよび前記第１インターネット通信プログラムを経由して前記制御ユニットに伝送され、前記ユーザ設定がスイッチ設定と選局設定とを含んでおり、前記制御ユニットが、前記ユーザ設定に基づいて、一致して働く前記スイッチ信号と前記選局信号を生成する、請求項４４に記載のマルチメディアデータ転送通信装置。
【請求項４７】
ユーザ情報を受信／伝送し、または使用状態を表示するのに使用される、ユーザインターフェース回路をさらに備え、前記ユーザインターフェース回路が、入力ユニットと出力ユニットとを備え、前記公衆電話回線処理ユニットおよび前記制御ユニットに接続されている、請求項３７に記載のマルチメディアデータ転送通信装置。
【請求項４８】
前記ユーザインターフェース回路の前記入力ユニットが、
前記公衆電話回線処理ユニットと前記制御ユニットとに接続されたプッシュボタンキーボードと、
出力端の一方が第３ＡＤ／ＤＡ変換器を介して前記データ変換モジュールに接続され、他方の出力端が前記公衆電話回線処理ユニットに接続されたマイクロフォンとを備える、請求項４７に記載のマルチメディアデータ転送通信装置。
【請求項４９】
前記ユーザインターフェース回路の前記入力ユニットが、
ユーザ映像を取得し、前記ビデオエンコード・デコードユニットにさらに伝送してエンコードを行う映像取得装置をさらに備える、請求項４８に記載のマルチメディアデータ転送通信装置。
【請求項５０】
前記ユーザインターフェース回路の前記出力ユニットが、
ＤＡ変換器を介して前記制御ユニットから伝送された、デコード音声信号を受信するスピーカを備えており、前記デコード音声信号が、前記音声エンコード・デコードユニットにより、前記インターネットによって伝送された前記複数個のネットワークパケットをデコードした後に生成される、請求項４７に記載のマルチメディアデータ転送通信装置。
【請求項５１】
前記ユーザインターフェース回路の前記出力ユニットが、
液晶ディスプレイおよび液晶表示制御ユニットを含み、前記制御ユニットから伝送されたデコードビデオ信号または使用情報を受信して、映像または前記使用情報を表示する、液晶表示モジュールをさらに備え、
前記デコードビデオ信号が、前記ビデオエンコード・デコードユニットを利用して、前記インターネットによって伝送された前記複数個のネットワークパケットをデコードした後に生成される、請求項５０に記載のマルチメディアデータ転送通信装置。
【請求項５２】
前記制御ユニットが、
公衆電話網回線の状況、インターネットの状況およびユーザ設定に基づいて前記第１インターネット通信プログラムを実行するマイクロプロセッサと、
前記マイクロプロセッサと前記インターネットを接続して、複数個のネットワークパケットの伝送および受信を制御するネットワーク制御回路と、
前記マイクロプロセッサに接続され、データへアクセスおよび前記複数個のネットワークパケットの一時的格納を提供するメモリモジュールとを備える、請求項３７に記載のマルチメディアデータ転送通信装置。
【考案の詳細な説明】
【技術分野】
【０００１】
本考案はテレビ、テレビボックスおよびマルチメディアデータ転送通信装置に関する。さらに詳しくは、マルチメディア転送、公衆交換電話網（ｐｕｂｌｉｃ  ｓｗｉｔｃｈ  ｔｅｌｅｐｈｏｎｅ  ｎｅｔｗｏｒｋ，ＰＳＴＮ）、ＩＰ電話、ＩＰテレビ電話と、映像放送のテレビ、テレビボックスおよびマルチメディアデータ転送通信装置の統合に関する。
【背景技術】
【０００２】
２０世紀におけるテレビの頻繁な活用およびその普及は、それが人々の生活および娯楽の重点になったことを示している。しかし、生活の中で時には、球技試合の実況中継を視聴できなかったり、外国にいるために台湾のテレビ番組を視聴できなかったりなど、残念な事に出遭うことは避けられない。一方、電話は大衆にとって非常に重要な通信ユニットであり、異なる場所にいる人が電話を介して意思疎通することができる。
【０００３】
インターネットおよびマルチメディア技術の進歩に伴い、ＩＰ電話技術も成熟してきている。しかし、これは一貫して企業が経費節減のために選択しているものに過ぎない。また、今では、ＩＰテレビサービスを提供するテレビ局も少なくないが、提供される番組は限られている。したがって、現在の構造では、ＩＰ電話およびＩＰテレビを一般家庭の中で常用される通信およびマルチメディア放送ツールとして普及させるのは困難である。
【０００４】
以上を総合すると、音声ストリーム、ビデオストリーム、公共交換電信網、インターネットおよびテレビを統合することができれば、日常生活における利便性を大いに高めることができることになる。
【考案の開示】
【考案が解決しようとする課題】
【０００５】
本考案の目的は、マルチメディアデータストリームをリモート装置に伝送するためのテレビを提供することであり、前記テレビはインターネットに接続されている。前記テレビは、データ変換モジュール、制御ユニット、テレビ処理ユニットおよび表示ユニットを備えている。前記データ変換モジュールは、前記マルチメディアデータストリームを複数個のマルチメディアパケットに変換する。前記制御ユニットは前記データ変換モジュールに接続され、前記インターネットを介して前記複数個のマルチメディアパケットを前記リモート装置に伝送する。前記テレビ処理ユニットは、前記マルチメディアデータストリームを受信して表示信号を生成する。前記表示ユニットは、前記表示信号を受信して前記マルチメディアデータストリームによって形成される映像を放送する。
【０００６】
本考案のもう１つの目的は、マルチメディアデータストリームをリモート装置に伝送するためのテレビボックスを提供することであり、前記テレビボックスはインターネットに接続されている。前記テレビボックスは、データ変換モジュール、制御ユニットおよびテレビ処理ユニットを備えている。前記データ変換モジュールは、前記マルチメディアデータストリームを複数個のマルチメディアパケットに変換する。前記制御ユニットは前記データ変換モジュールに接続され、前記インターネットを介して前記複数個のマルチメディアパケットを前記リモート装置に伝送する。前記テレビ処理ユニットは、前記マルチメディアデータストリームを受信して表示信号を生成し、表示ユニットに、前記表示信号に応じて、前記マルチメディアデータストリームによって形成される映像を放送させる。
【０００７】
本考案のさらに別の目的は、マルチメディアデータ転送通信装置を提供することである。マルチメディアデータ転送通信装置は、入力されたマルチメディアデータストリームをリモート装置に転送し、かつ公衆電話網の通信とインターネットの通信を統合する。前記マルチメディア転送通信装置は、制御ユニット、データ変換モジュール、公衆電話回線処理ユニットおよびユーザインターフェース回路を備えている。前記制御ユニットは、第１インターネット通信プログラムを実行して、前記インターネットの通信および前記マルチメディアデータストリームの転送を実現させる。前記制御ユニットは、マイクロプロセッサ、ネットワーク制御回路およびメモリモジュールを備えている。前記マイクロプロセッサは、公衆電話網回線の状況、インターネットの状況およびユーザ設定に基づいて、前記第１インターネット通信プログラムを実行する。前記ネットワーク制御回路は、前記マイクロプロセッサと前記インターネットを接続して、複数個のネットワークパケットの伝送および受信を制御する。前記メモリモジュールは、前記マイクロプロセッサに接続され、データのアクセスおよび前記複数個のネットワークパケットの一時的格納を提供する。前記データ変換モジュールは、前記制御ユニットに接続され、前記複数個のネットワークパケットと前記マルチメディアデータストリームのデータ変換を行う。前記公衆電話回線処理ユニットは、公衆電話網インターフェースおよび前記制御ユニットに接続され、前記公衆電話網の電話を発信または受信する。前記ユーザインターフェース回路は、ユーザ情報の受信／伝送、または使用状態の表示を行う。前記ユーザインターフェース回路は、入力ユニットおよび出力ユニットを備え、前記公衆電話回線処理ユニットおよび前記制御ユニットに接続される。
【課題を解決するための手段】
【０００８】
本考案のテレビ、テレビボックスおよびマルチメディアデータ転送通信装置は、ローカルで受信したマルチメディアデータストリーム（例えば、アンテナまたは／およびケーブルを経由して受信したテレビ番組、放映装置を経由して送られてきたマルチメディアファイル）を、インターネットを介してリモート装置に伝送することができる。これにより、リモート装置のユーザは、テレビおよびテレビボックスが提供するマルチメディアデータストリームによって形成される映像をも視聴することが可能になる。
【考案の効果】
【０００９】
本考案はインターネットを伝達媒体として利用するため、他のマルチメディアまたは／および通信の応用、例えば公衆電話網、ＩＰ電話、ＩＰテレビ電話の通信や映像放送などをさらに統合することが可能である。したがって、どんな場所にいてもテレビ番組を鑑賞可能という消費者のニーズを満たす上、消費者がＩＰ電話機能を使用して通信費を節約するのにも便利である。
【考案を実施するための最良の形態】
【００１０】
次に、下記の図、実施例の詳しい説明および請求の範囲と合わせて、上記目的と本考案のその他の目的、長所について詳しく述べることにする。図とそれに続く実施形態を参照すれば、前記技術分野の通常の知識をもつ者ならば、本考案のその他の目的、ならびに本考案の技術的手段および実施形態を理解することができる。
【実施例１】
【００１１】
本考案の実施例１は、マルチメディアデータ転送通信機能を備えたテレビ１００であり、その構造は図１に示すとおりである。さらに詳しく説明すると、このテレビ１００はインターネットに接続され、インターネットを介してマルチメディアデータストリーム１０１をリモート装置１９１に伝送することができ、また、インターネットからのネットワークパケットをマルチメディアデータストリームに変換することができる。リモート装置１９１はデスクトップパソコン、ノート型パソコン、フラットパソコン、パーソナルデジタルアシスタント、デジタルマルチメディアプレーヤ、携帯電話などのどれでもよい。
【００１２】
このテレビ１００は、データ変換モジュール１２０、制御ユニット１１０、テレビ処理ユニット１７０、表示ユニット１８０およびスピーカ１８２を備えている。データ変換モジュール１２０は、前記マルチメディアデータストリーム１０１を複数個のマルチメディアパケット１０２に変換する。制御ユニット１１０は、前記データ変換モジュール１２０に接続されている。制御ユニット１１０はさらに、ネットワークポートすなわちＲＪ−４５ネットワークポート１９０を介して前記インターネットに接続され、前記複数個のマルチメディアパケット１０２を前記リモート装置１９１に伝送する。他の実施例では、制御ユニット１１０を無線ＬＡＮカードなど他の媒体を介してインターネットに接続することも可能であり、言い換えれば、本考案の範囲はインターネットに接続される媒体によって必ずしも限定されない。テレビ処理ユニット１７０は、前記マルチメディアデータストリーム１０１を受信して表示信号１０３と音声信号１０４を生成する。本実施例では、テレビ処理ユニット１７０は、赤外線リモコン（ｒｅｍｏｔｅ  ｃｏｎｔｒｏｌ）（図示せず）の制御を受ける赤外線（ｉｎｆｒａ−ｒｅｄ）受信ユニット（図示せず）を備えている。表示ユニット１８０は、前記表示信号１０３を受信して前記マルチメディアデータストリームによって形成される映像を放送し、スピーカ１８２は前記音声信号を受信して前記マルチメディアデータストリームに関連する音声を放送する。他の実施例では、前記赤外線受信ユニットまたは／およびスピーカを省略することができる。
【００１３】
図１をさらに参照すると、制御ユニット１１０は、マイクロプロセッサ１１１、メモリモジュール１１２およびネットワーク制御回路１１３を備えている。マイクロプロセッサ１１１はインターネットの状況およびユーザ設定に基づいて、第１インターネット通信プログラムを実行し、データ処理を行う。メモリモジュール１１２はマイクロプロセッサ１１１に接続され、前記複数個のネットワークパケット１０２の一時的格納およびデータへのアクセスを行う。ネットワーク制御回路１１３はマイクロプロセッサ１１１と前記インターネットを接続して、前記複数個のマルチメディアパケットの伝送および複数個のネットワークパケットの受信を制御する。マイクロプロセッサ１１１、メモリモジュール１１２およびネットワーク制御回路１１３の実施については、この分野の通常の知識をもっていれば熟知していることであるため、ここではこれ以上説明しないことにする。前記ネットワーク制御回路１１３、マイクロプロセッサ１１１およびメモリモジュール１１２はそれぞれ分散した独立ユニットであってもよく、１つのチップに統合することもできる。
【００１４】
詳しく言うと、テレビ１００はさらにビデオ音声入力ポート１３１とビデオ音声出力ポート１３２を備えており、データ変換モジュール１２０がこのビデオ音声入力ポート１３１を介してビデオ音声データソースシステム１３０からマルチメディアデータストリーム１０１を受信できるようにする。このマルチメディアデータストリーム１０１はアナログ形式でもデジタル形式でもよい。ビデオ音声データソースシステム１３０は、ＤＶＤプレーヤ（ＤＶＤ  ｐｌａｙｅｒ）、デジタルセットトップボックス（ｓｅｔ  ｔｏｐ  ｂｏｘ）、各種ゲーム機（ｇａｍｅ  ｃｏｎｓｏｌｅ）など、さまざまな型式のものでよい。前記ビデオ音声入力ポート１３１は、有線テレビ同軸無線周波コネクタ（ｃｏａｘｉａｌ  ＲＦ  ｃｏｎｎｅｃｔｏｒ）ポート、アナログテレビアンテナポート、ＡＶ端子（ＡＶ  ｖｉｄｅｏ）、Ｓ端子（Ｓ  ｖｉｄｅｏ）などのアナログビデオ音声入力ポートでもよい。その他の実施例では、このビデオ音声入力ポート１３１は、デジタルビジュアルインターフェース（ｄｉｇｉｔａｌ  ｖｉｓｕａｌ  ｉｎｔｅｒｆａｃｅ，ＤＶＩ）ポートのようなデジタルビデオ音声入力ポートでもよい。ビデオ音声出力ポート１３２は、テレビ処理ユニット１７０で生成された表示信号または／および音声信号の出力に用いるものであり、ＨＤＭＩポート、ＤＶＩポート、ＤｉｓｐｌａｙＰｏｒｔ、ＡＶ端子ポート、Ｓ端子ポートなど一般的なビデオ音声インターフェースをサポートする。ビデオ音声入力ポート１３１およびビデオ音声出力ポート１３２は必ずしも上記ポートに限定されず、既存のまたは将来開発される他のビデオ音声ポートも本考案の概念に適用できることに留意されたい。
【００１５】
本実施例のビデオ音声データソースシステム１３０がＤＶＤプレーヤであり、かつテレビ１００もリモート装置１９１もすでにインターネットに接続されており、テレビ１００はインターネットプロトコル（ｉｎｔｅｒｎｅｔ  ｐｒｏｔｏｃｏｌ，ＩＰ）をサポートする前記第１インターネット通信プログラムを介してのインターネット接続であり、リモート装置１９１はインターネットプロトコルの第２インターネット通信プログラムを介してのインターネット接続であると仮定して、このテレビ１００のマルチメディアデータの転送のやり方、すなわちインターネットを介してマルチメディアデータストリーム１０１をリモート装置１９１に伝送し、インターネットからのネットワークパケットをマルチメディアデータストリームに変換する具体的なやり方を以下に説明する。
【００１６】
まず、インターネットを介してマルチメディアデータストリーム１０１をリモート装置１９１に伝送する部分について説明する。本実施例のテレビ１００は、ビデオ音声入力ポート１３１を介して、ビデオ音声データソースシステム１３０（すなわちＤＶＤプレーヤ）からマルチメディアデータストリーム１０１を受信する。このマルチメディアデータストリーム１０１は音声ストリームとビデオストリームを含んでいる。続いて、データ変換モジュール１２０がマルチメディアデータストリーム１０１を複数個のマルチメディアパケット１０２に変換する。これらのマルチメディアパケット１０２は複数個のビデオパケットと複数個の音声パケットを含んでいる。詳しく言うと、データ変換モジュール１２０はビデオストリームをエンコード処理できるようにビデオ圧縮形式の規格をサポートしており、ビデオ圧縮形式の規格は、ＭＰＥＧ４（ｍｏｔｉｏｎ  ｐｉｃｔｕｒｅ  ｅｘｐｅｒｔｓ  ｇｒｏｕｐ）、Ｈ．２６４規格、３ＧＰＰ（３ｒｄ  ｇｅｎｅｒａｔｉｏｎ  ｐａｒｔｎｅｒｓｈｉｐ  ｐｒｏｊｅｃｔ）規格、またはメーカーがサポートすると定義した非公開専有（ｐｒｏｐｒｉｅｔａｒｙ）ビデオ圧縮形式の規格のいずれでもよい。データ変換モジュール１２０は、音声ストリームをエンコードできるように音声圧縮形式の規格もサポートしており、音声圧縮形式の規格は適応マルチレート（ａｄａｐｔｉｖｅ  ｍｕｌｔｉ−ｒａｔｅ，ＡＭＲ）、適応差分パルス符号変調（ａｄａｐｔｉｖｅ  ｄｉｆｆｅｒｅｎｔｉａｌ  ｐｕｌｓｅ  ｃｏｄｅ  ｍｏｄｕｌａｔｉｏｎ，ＡＤＰＣＭ）規格、またはメーカーがサポートすると定義した非公開専有（ｐｒｏｐｒｉｅｔａｒｙ）音声圧縮形式の規格のいずれでもよい。本考案のビデオ圧縮形式の規格および音声圧縮形式の規格は必ずしも前記のものに限定されず、既存のまたは将来開発される他のビデオ圧縮形式の規格や音声圧縮形式の規格も本考案の概念に適用できることをここで強調しておきたい。
【００１７】
さらに、制御ユニット１１０は、前記複数個のマルチメディアパケット１０２（すなわち前記複数個のビデオパケットおよび前記複数個の音声パケット）を複数個の第１ネットワークパケット１０５に構成し、次に前記第１インターネット通信プログラムを利用し、インターネットの回線を介して前記複数個の第１ネットワークパケット１０５をリモート装置１９１に伝送する。このようして、テレビ１００はインターネットを介してマルチメディアデータストリーム１０１をリモート装置１９１に伝送するタスクを完成させる。一方、リモート装置１９１は、マルチメディアデータストリームに含まれている映像および音声を放送できるように、前記複数個の第１ネットワークパケット１０５をデコードすることができる。したがって、リモート装置１９１をインターネットに接続できさえすれば、リモート装置１９１のユーザはどこにいても、家庭に設置しているＤＶＤプレーヤが放映する映画を鑑賞することができる。
【００１８】
次に、インターネットからのネットワークパケットをマルチメディアデータストリームに変換する部分について説明する。テレビ１００はまた、ＲＪ−４５ネットワークポート１９０を介して、インターネットから伝送された複数個の第２ネットワークパケット１０６を受信することができる。前記複数個の第２ネットワークパケット１０６は、リモート装置１９１から伝送されたユーザの映像（例えば、ＩＰテレビ電話）でもよく、またインターネット上のあるマルチメディアデータソース（例えば、中華電信網テレビＭＯＤ）から伝送された映像でもよい。制御ユニット１１０は、データ変換モジュール１２０を利用して前記複数個の第２ネットワークパケットをデコード処理し、さらにデコード済みのデータをテレビ処理ユニット１７０に伝送する。テレビ処理ユニット１７０は、デコード済みのデータを処理して、表示ユニット１８０およびスピーカ１８２に放送のために供することができる。
【００１９】
このとき、テレビ１００の観衆は、赤外線リモコンを利用してテレビ処理ユニット１７０を制御し、ビデオ音声データソースシステム１３０からのマルチメディアデータストリーム１０１（すなわちＤＶＤプレーヤが放映するＤＶＤ映画）、リモート装置１９１から伝送されたユーザ映像、またはＩＰテレビを選択して鑑賞することができる。テレビ処理ユニット１７０はそのうちの１つに基づいて、対応する表示信号および音声信号を生成し、映像表示および音声放送のために、それぞれを表示ユニット１８０とスピーカ１８２に伝送する。表示ユニット１８０はブラウン管（ｃａｔｈｏｄｅ  ｒａｙ  ｔｕｂｅ，ＣＲＴ）ディスプレイ、フラットディスプレイ（ｆｌａｔ  ｐａｎｅｌ  ｄｉｓｐｌａｙ）、液晶ディスプレイ（ｌｉｑｕｉｄ  ｃｒｙｓｔａｌ  ｄｉｓｐｌａｙ，ＬＣＤ）または有機発光ダイオードディスプレイ（ｏｒｇａｎｉｃ  ｌｉｇｈｔ  ｅｍｉｔｔｉｎｇ  ｄｉｏｄｅ，ＯＬＥＤ）などのいずれでもよい。
【００２０】
上記の配置により、第１実施例のテレビ１００は、マルチメディアデータ転送およびインターネットの機能を備え、インターネットからのビデオ映像データを受信できるだけでなく、さらにローカル設備（例えば、ＤＶＤプレーヤ、有線／無線テレビ番組）のマルチメディア映像をリモート装置に伝送することもできる。したがって、ローカルユーザでもリモートユーザでも多数のビデオ映像の選択肢をもつことができ、簡単な機能しか提供できない周知のテレビとは異なる。
【実施例２】
【００２１】
本考案の実施例２は、マルチメディアデータ転送通信機能を備えたテレビ２００であり、その構造については図２を参照されたい。このテレビ２００は、制御ユニット１１０、公衆電話網処理ユニット２７０、データ変換モジュール２２０、（Ｎ＋１）個のテレビチューナ（ＴＶ  ｔｕｎｅｒ）２３０〜２３Ｎ（Ｎは正の整数、Ｎ≧１）、テレビ処理ユニット１７０、表示ユニット１８０、スピーカ１８２、ＲＪ−４５回線ポート１９０、第１電話回線ポート（すなわち第１ＲＪ−１１ポート２４１）および第２電話回線ポート（すなわち第２ＲＪ−１１ポート２５１）を備えている。実施例２のテレビ２００は、実施例１のテレビ１００のすべての機能を備えているため、以下では特に相違点について説明する。
【００２２】
ユーザインターフェース回路２４０は、第１ＲＪ−１１ポート２４１を介して、公衆電話回線処理ユニット２７０と電気的に接続されている。言い換えればこの第１ＲＪ−１１ポート２４１の一端がユーザインターフェース２４０に電気的に接続され、他端が公衆電話回線処理ユニット２７０に接続されている。本実施例においては、ユーザインターフェース２４０は電話機であり、他の実施例においては、ユーザインターフェース２４０はテレビ２００に統合してもよい。
【００２３】
このテレビ２００は、第１インターネット通信プログラムを実行し、ＲＪ−４５ネットワークポート１９０を介してインターネットに接続される。この第１インターネット通信プログラムは実施例１で説明した内容と同じであるため、ここではこれ以上説明しないことにする。ユーザはユーザインターフェース２４０を介してユーザ信号を入力することができ、言い換えれば電話機を介して電話をダイヤルすることができる。ユーザインターフェース回路２４０は、ユーザ信号に応じて、第１ＲＪ−１１ポート２４１を介して前記第１通信要求信号を前記公衆電話回線処理ユニット２７０に伝送する。第１通信要求信号は、ユーザがダイヤルした電話番号に関連するものであり、公衆電話回線処理ユニット２７０はこの第１通信要求信号を受信する。
【００２４】
制御ユニット１１０は、公衆電話回線処理ユニット２７０と電気的に接続されているため、第１通信要求信号（ダイヤルした電話番号に関連）は公衆電話網処理ユニット２７０を介して制御ユニット１１０に伝送される。制御ユニット１１０は前記第１通信要求信号に応じて、前記第１インターネット通信プログラムを利用し、インターネットを介して第２通信要求信号を伝送する。すなわちネットワークダイヤルアップの方式で前記電話番号をダイヤルする。一般的に言うと、インターネットプロトコルをサポートするインターネット通信プログラムには、２種類のダイヤルアップ方式があり、１つはピアツーピア（ｐｅｅｒ  ｔｏ  ｐｅｅｒ）方式であり、もう１つはインターネット対公衆電話網方式であり、後者では家庭用電話または携帯電話の電話番号にダイヤルすることができる。
【００２５】
本実施例のテレビ２００は、ユーザが電話をダイヤルするときにもっと多くの選択肢をもてるように、もう一種類の電話網回線を提供する。具体的に言うと、テレビ２００の第２ＲＪ−１１ポート２５１は、電気的に公衆電話回線処理ユニット２７０と公衆電話網回線２５０に接続されている。制御ユニット１１０は、公衆電話回線処理ユニット２７０が第２ＲＪ−１１ポート２５１を経由して、第２通信要求信号を公衆電話回線２５０に伝送できるようにする。公衆電話網処理ユニット２７０は、いかなる状況においても緊急電話をダイヤルできるように、公衆電話回線２５０へとの接続を確保する。
【００２６】
以上から分かるように、実施例２のテレビ２００は、主として電話をダイヤルする方式を２種類提供する。電話をダイヤルする対象が公衆電話網であるか、インターネットであるかに関係なく、支障なくコミュニケーションできる。
【００２７】
次に、ユーザがインターネットを介して電話をダイヤルするとき、電話がつながった後の音声信号の具体的な処理方式について説明する。図３を参照すると、これはデータ変換モジュール２２０の詳細な構造説明図である。データ変換モジュール２２０は、２個のエンコード・デコード装置３２０、３３０を備えている。エンコード・デコード装置３２０は、音声エンコード・デコードユニット３２１、ビデオエンコード・デコードユニット３２２、第１ＡＤ／ＤＡ変換器３２５および第２ＡＤ／ＤＡ変換器３２６を備えている。第１ＡＤ／ＤＡ変換器３２５は音声エンコード・デコードユニット３２１に接続され、第２ＡＤ／ＤＡ変換器３２６はビデオエンコード・デコードユニット３２２に接続されている。エンコード・デコード装置３３０は、音声エンコード・デコードユニット３２３、ビデオエンコード・デコードユニット３２４、第１ＡＤ／ＤＡ変換器３２７および第２ＡＤ／ＤＡ変換器３２８を備えている。第１ＡＤ／ＤＡ変換器３２７は音声エンコード・デコードユニット３２３に接続され、第２ＡＤ／ＤＡ変換器３２８はビデオエンコード・デコードユニット３２４に接続されている。音声エンコード・デコードユニット３２１、３２３およびビデオエンコード・デコードユニット３２２、３２４はすべて制御ユニット１１０に接続されている。
【００２８】
ここで、ユーザがすでにインターネットを介して電話をかけていると仮定すると、ユーザが送話器のマイクロフォンに向かって発したアナログ音声ストリーム（すなわちユーザが出した声）は第１ＡＤ／ＤＡ変換器３２５または／および３２７に伝送され、制御ユニット１１０が第１ＡＤ／ＤＡ変換器３２５または／および３２７に、このアナログ音声ストリームをデジタル形式の音声ストリームに変換するよう命令する。このデジタル形式の音声ストリームは音声エンコード・デコードユニット３２１または／および３２３に伝送される。音声エンコード・デコードユニット３２１または／および３２３はさらに、第１または／および第２音声制御信号（制御ユニット１１０により、エンコード処理するように設定されている）に基づき、この音声ストリームをエンコードする。言い換えれば、前記デジタル形式の音声ストリームをＡＭＲ形式、ＡＤＰＣＭ形式またはメーカーがサポートすると定義した非公開専有（ｐｒｏｐｒｉｅｔａｒｙ）音声圧縮形式に適合するようにエンコードする。次に、制御ユニット１１０が実施例１で説明した方式で、前記エンコード音声ストリームを複数個のネットワークパケットに構成し、さらに前記第１インターネット通信プログラムを利用し、ＲＪ−４５ネットワークポート１９０を介してこれをインターネットに伝送し、最後にリモート装置１９１〜１９Ｎ（各リモート装置１９１〜１９Ｎは電話でもよい）のうちの１つまたは組合せに伝送する。本考案の音声圧縮形式の規格は必ずしも前記のものに限定されず、既存のまたは将来開発される他の音声圧縮形式の規格も本考案の概念に適用できることをここで強調しておきたい。
【００２９】
リモート装置１９１〜１９Ｎ（各リモート装置１９１〜１９Ｎは電話でもよい）は、インターネットと接続するために、それぞれ第２インターネット通信プログラムを実行する。リモート装置１９１〜１９Ｎのユーザの声は、ネットワークパケットの形式で、前記第２インターネット通信プログラムからインターネットを介して制御ユニット１１０に返送される。続いて、制御ユニット１１０が第１または／および第２音声制御信号（デコード処理するよう設定されている）を生成して、音声エンコード・デコードユニット３２１または／および３２３に、この音声制御信号に応じて、これらのネットワークパケットをデコードさせ、デコード音声信号を得る。そしてデコード音声信号は制御ユニット１１０に伝送される。最後に、制御ユニット１１０は、これらのデコード音声信号を、公衆電話網処理ユニット２７０を介して電話２４０に伝送する。このときに、電話２４０のユーザは、リモート装置１９１〜１９Ｎ（各リモート装置１９１〜１９Ｎは電話でもよい）の１つまたはその組合せが伝える声を聞くことができる。
【００３０】
他の実施例においては、前記機能を達成するために、ユーザインターフェース２４０にＡＤ／ＤＡ変換器（図示せず）を備え、テレビ２００にさらに別の音声エンコード・デコードユニット４８０を備えることができることをここで強調しておきたい。これを詳細に説明すると、ユーザが送話器のマイクロフォンに向かって発したアナログ音声ストリーム（すなわちユーザが出した声）は、ユーザインターフェース２４０自体が備えているＡＤ／ＤＡ変換器でデジタル形式の音声ストリームに変換され、次に第１ＲＪ−１１ポート２４１を介してこれが音声エンコード・デコードユニット４８０に伝送されて、音声ストリームが複数個のネットワークパケットにエンコードされ、その後に制御ユニット１１０がこれらのネットワークパケットをリモート装置１９１〜１９Ｎ（例えば電話）に伝送する。また、リモート装置１９１〜１９Ｎから伝送されたユーザの声も、直接ユーザインターフェース２４０のＡＤ／ＤＡ変換器およびテレビ２００のもう１つの音声エンコード・デコードユニット４８０で処理される。言い換えれば、この実施例においては、データ変換モジュール２２０内の第１ＡＤ／ＤＡ変換器３２５、３２７および音声エンコード・デコードユニット３２１、３２３は、占用されることがないので、下記のようなタスクの処理専門にすることができる。
【００３１】
次に実施例２のテレビ２００の備えている復調機能について説明する。前に、テレビ２００が（Ｎ＋１）個のテレビチューナ２３０〜２３Ｎを備えていることを述べたが、Ｎ＝２として以下に説明する。前記複数のテレビチューナ２３０〜２３２の１つ、すなわちテレビチューナ２３０はテレビ処理ユニット１７０に電気的に接続され、残りのテレビチューナ２３１、２３２はそれぞれエンコード・デコードユニット３２０、３３０に電気的に接続される。
【００３２】
このテレビ２００の各テレビチューナ２３０〜２３Ｎは、デジタルケーブルやアナログケーブルなどのケーブル２６４、またはデジタルテレビ放送（ｄｉｇｉｔａｌ  Ｔｅｒｒｅｓｔｒｉａｌ  ｖｉｄｅｏ  ｂｒｏａｄｃａｓｔ）、アナログテレビ放送（Ａｎａｌｏｇ  Ｔｅｒｒｅｓｔｒｉａｌ  ｖｉｄｅｏ  ｂｒｏａｄｃａｓｔ）、衛星放送（Ｓａｔｅｌｌｉｔｅ  ｂｒｏａｄｃａｓｔ）などのアンテナ２６２を介して、マルチメディアデータストリームを受信することができ、かつそのうちの１チャネルを選択して、復調ビデオストリームおよび復調音声ストリームを生成させる。テレビチューナ２３０は、生成された前記復調ビデオストリームおよび前記復調音声ストリームをテレビ処理ユニット１７０に伝送する。その後の処理は実施例１と同様であるため、これ以上説明しないことにする。
【００３３】
テレビチューナ２３０以外の各テレビチューナ２３１、２３２がマルチメディアデータストリームを受信し、それぞれの選局信号に基づいてその中の１チャネルを選局して、復調ビデオストリームおよび復調音声ストリームを生成した後の具体的な動作について、以下に説明する。各テレビチューナ２３１、２３２は、それぞれ対応する復調ビデオストリームおよび復調音声ストリームをデータ変換モジュール２２０のエンコード・デコード装置３２０、３３０に伝送する。
【００３４】
テレビチューナ２３１、２３２が２つのリモート装置１９１、１９２（Ｎ＝２）に対応すると仮定すると、リモート装置１９１、１９２のユーザについて言えば、最初からテレビチューナ２３１、２３２が受信したいかなる番組もそれぞれ受動的に視聴するほかに、リモート装置１９１、１９２のユーザは、主体的にテレビのチャネルを選択することもできる。つまり、リモート装置１９１、１９２に搭載された第２インターネット通信プログラムを介して、このユーザ設定（テレビの選局設定または／およびスイッチ設定を含む）を制御ユニット１１０に返送し、制御ユニット１１０は、これを受け取ると、ユーザの選局設定に基づき、対応する選局信号を介してテレビチューナ２３１、２３２のチャネルを変えるのである。また、スイッチ設定に基づき、対応するスイッチ信号を介してテレビチューナ２３１、２３２をＯＦＦ／ＯＮすることもできる。具体的に言うと、リモート装置１９１は、第１スイッチ信号２８１を介してテレビチューナ２３１をＯＦＦ／ＯＮすることができ、また、第１選局信号２９１を介して選局することもできる。同様に、リモート装置１９２は、第２スイッチ信号２８２を介してテレビチューナ２３２をＯＦＦ／ＯＮすることができ、また、第２選局信号２９２を介して選局することもできる。
【００３５】
リモート装置１９１を例にとると、ユーザが特定のチャネルを選定すると、マルチメディアデータストリームは第１ＡＤ／ＤＡ変換器３２５および第２ＡＤ／ＤＡ変換器３２６に伝送されて、それぞれ音声およびビデオ部分の変換を行った後、その結果がそれぞれ音声エンコード・デコードユニット３２１とビデオエンコード・デコードユニット３２２に伝送される。音声エンコード・デコードユニット３２１は、前記第１音声制御信号に応じて、前記マルチメディアデータストリームの音声ストリームをエンコードする。ビデオエンコード・デコードユニット３２２は前記制御ユニットに接続され、前記ビデオ制御信号に応じて、前記マルチメディアデータストリームのビデオストリームをエンコードする。この後の動作は実施例１と同じであるので、これ以上説明しないこととする。
【００３６】
したがって、本実施例の複数個のテレビチューナの構造を利用すれば、表示ユニット１８０の視聴者とリモート装置１９１、１９２のユーザは互いに妨害することなく、自分の好きな番組を楽しむことができる。
【実施例３】
【００３７】
本考案の実施例３は、マルチメディアデータ転送通信機能を備えたもう１つのテレビ４００であり、その構造説明図は図４に示した。この実施例のテレビ４００は、制御ユニット１１０、公衆電話網処理ユニット２７０、データ変換モジュール１２０、テレビ処理ユニット１７０、表示ユニット１８０、スピーカ１８２、２つのスロット４５１、４６１、第１電話線ポート４４１、第２電話線ポート（すなわち前記第２ＲＪ−１１ポート２５１）、ビデオエンコード・デコードユニット４７０および音声エンコード・デコードユニット４８０を備えている。ユーザインターフェース４４０はテレビ４００に接続され、液晶ディスプレイ（ｌｉｑｕｉｄ  ｃｒｙｓｔａｌ  ｄｉｓｐｌａｙ，ＬＣＤ）モジュール４１０、プッシュボタン４１５、映像取得ユニット４２０および送話器４２５を備えている。本実施例は前記実施例と部分的に類似しているため、ここでは相違点だけを強調する。
【００３８】
無線ＬＡＮ（ｗｉｒｅｌｅｓｓ  ｆｉｄｅｌｉｔｙ，略称ＷｉＦｉ）カード４６０をスロット４６１に挿入する。スロット４６１は制御ユニット１１０内のマイクロプロセッサ１１１（図４では図示せず）に電気的に接続され、マイクロプロセッサ１１１は前記第１インターネット通信プログラムを利用して、スロット４６１を介して複数個のネットワークパケットを無線ＬＡＮカード４６０に伝送し、さらに複数個のネットワークパケットをリモート装置に伝送するために、無線接続の方式でインターネットと接続する。スロット４６１は、前記無線ＬＡＮカード４６０を接続するために、セキュアデジタル出入力（ｓｅｃｕｒｅ  ｄｉｇｉｔａｌ  ｉｎｐｕｔ／ｏｕｔｐｕｔ，ＳＤＩＯ）インターフェース規格や、ユニバーサルシリアルバスインターフェース規格（Ｕｎｉｖｅｒｓａｌ  Ｓｅｒｉａｌ  Ｂｕｓ，ＵＳＢ）などをサポートしている。他の実施例においても、ＲＪ−４５ネットワークポート１９０とスロット４６１を同時に設けることによってインターネットに接続し、有線インターネット接続と無線インターネット接続の２種類の方式を提供して、ユーザが選択できるようにすることができることを強調しておきたい。
【００３９】
もう１つのスロット４５１は、ＵＳＢ記憶装置、ハードディスク、メモリカードなどの外付け記憶媒体４５０に接続することができる。スロット４５１は、セキュアデジタルインターフェース規格、ユニバーサルシリアルバスインターフェース規格をサポートすることができ、また、コンパクトフラッシュ（登録商標）メモリカード（Ｃｏｍｐａｃｔ  Ｆｌａｓｈ  ｃａｒｄ，ＣＦカード）インターフェース、メモリスティック（ｍｅｍｏｒｙ  ｓｔｉｃｋ）インターフェース、ピクチャメモリカード（ｐｉｃｔｕｒｅ  ｃａｒｄ）インターフェース、スマートメモリカード（Ｓｍａｒｔ  Ｍｅｄｉａ（登録商標）  ｃａｒｄ，ＳＭカード）、インターフェース、マイクロハードディスク（ｍｉｃｒｏｄｒｉｖｅ）インターフェースおよびマルチメディアメモリカード（Ｍｕｌｔｉ  Ｍｅｄｉａ  ｃａｒｄ，ＭＭＣカード）などのインターフェースの規格の１つまたはその組合せをサポートする。
【００４０】
ユーザインターフェース４４０は、ユーザがプッシュポタン４１５をプッシュして、声の受信または／および伝送が送話器４２５によって行われるようにすることができる。映像取得装置４２０はユーザ映像を取得し、それが電話線ポート４４１を介してビデオエンコード・デコードユニット４７０に伝送されて、前記ユーザ映像がエンコードされ、さらに制御ユニット１１０の制御によって、エンコード済みのユーザ映像がリモート装置に伝送される。送話器４２５は音声ストリーム（すなわちユーザが出した声）の受信に用いられ、この音声ストリームは電話線ポート４４１を介して音声エンコード・デコードユニット４８０に伝送されてエンコードされ、次に制御ユニット１１０の制御によって、エンコード済みの音声ストリームがリモート装置に伝送される。
【００４１】
液晶表示モジュール４１０は、液晶表示制御ユニット（図示せず）と液晶ディスプレイ（図示せず）を備えている。液晶表示制御ユニットは制御ユニット１１０から伝送されたデコードビデオ信号または使用情報を受信し、液晶ディスプレイは前記デコードビデオ信号または前記使用情報を表示する。前記デコードビデオ信号は、前記インターネットによって伝送された複数個のネットワークパケットが前記データ変換モジュール１２０によってデコードされた後に生成される。
【００４２】
他の実施例において、ユーザインターフェース４４０をテレビ４００中に設置することができ、それにより、液晶表示モジュール４１０を表示ユニット１８０で代替することができることをここで強調しておきたい。
【実施例４】
【００４３】
本考案の実施例４は、マルチメディアデータ転送通信機能を備えたテレビボックス５００であり、その構造説明図については図５を参照されたい。この実施例のテレビボックス５００は、制御ユニット１１０、データ変換モジュール１２０、テレビ処理ユニット１７０、ＲＪ−４５ネットワークポート１９０、ビデオ音声入力ポート１３１およびビデオ音声出力ポート１３２を備えている。
【００４４】
テレビボックス５００と前記テレビの実施例との最も大きな違いは、表示ユニットおよびスピーカを備えていないことである。言い換えると、テレビボックス５００は、実施例１中の表示ユニット１８０とスピーカ１８２の部分以外を独立させたものである。したがって、テレビボックス５００は、実施例１のテレビ１００の表示ユニット１８０とスピーカ１８２以外のすべての機能を備えている。映像および音声を放送する必要があれば、他の表示ユニットおよびスピーカを外付けすればよい。
【００４５】
同様に、他の実施例において、前記実施例２の表示ユニット１８０とスピーカ１８２以外の部分を独立させて、もう１つのテレビボックスとし、あるいは前記実施例３の表示ユニット１８０とスピーカ１８２以外の部分を独立させて、もう１つのテレビボックスとすることもできる。
【００４６】
説明の便宜上、上記実施例では、ビデオ音声データソースシステム１３０のマルチメディアデータストリーム、ケーブルおよびアンテナのマルチメディアデータストリームを分離独立させてあることに留意されたい。ハードウェアが相互サポートできるとの前提で、マルチメディアデータストリームの送り込みを提供することのできる複数個の供給源を設けることができる。つまり、他の実施例においては、ケーブルやアンテナからのマルチメディアデータストリームを受信できる以外にも、前記ビデオ音声データソースシステム１３０のマルチメディアデータの送り込みを提供するために、ビデオ音声ポート（例えば、Ｓ端子やＡＶ端子など）を設けることができ、ユーザは赤外線リモコンを利用してテレビ処理ユニット１７０を制御して、鑑賞したいマルチメディアデータソース、すなわちビデオ音声データソースシステム１３０、ケーブル２６４、アンテナ２６２のマルチメディアデータストリーム、リモート装置１９１から伝送されたユーザ映像（ＩＰテレビ電話）または／およびネットワーク上のいずれかのマルチメディアデータストリームから来るファイル（例えば、中華電信網テレビＭＯＤ）を選択する。
【００４７】
以上を総合すると、音声エンコード・デコードユニット３２１、３２３、ビデオエンコード・デコードユニット３２２、３２４、データ変換モジュール１２０または／およびテレビ処理ユニット１７０はすべてソフトウェア方式で実施可能であり、公衆電話網、インターネットおよびビデオ音声データソースシステムと接続された構造においては、本考案は簡単なハードウェア構造および低廉なハードウェアコストで、公衆電話網通信、インターネット通信およびテレビ放送機能が統合されるだけでなく、どこでもマルチメディア番組を見る（聞く）という目的を実現でき、さらに量産と商品化に非常に適している。
【実施例５】
【００４８】
図６は本考案の実施例５の構造説明図である。図６を参照すると、本考案のマルチメディアデータ転送通信装置６００は、１つのＲＪ−４５ネットワークポート６８０を経由してインターネットに接続され、インターネット通信を実現し、入力マルチメディアデータストリーム（ビデオ音声データソースシステム６３０が送り込んだもの）の転送を実現するために使用される制御ユニット６１０と、制御ユニット６１０に接続され、インターネットによって伝送されたネットワークパケットのデコードと前記送られたマルチメディアデータストリームのエンコードを行い、前記マルチメディアデータストリームがデジタル形式の場合にはハードウェアまたはソフトウェア方式を利用して実施可能であるデータ変換モジュール６２０と、公衆電話網処理ユニット６５０および制御ユニット６１０に接続され、ユーザ情報を受信／伝送し、あるいは目の前にある装置６００やリモート装置６９０や通信の状態を表示するために使用されるユーザインターフェース回路６４０と、１つのＲＪ−１１のポート６６０を経由して公衆電話網回線６７０に接続され、公衆電話網の電話を発信しまたは受信するために使用される公衆電話回線処理ユニット６５０とを備えている。
【００４９】
さらに図６を参照すると、制御ユニット６１０は以下のものを備えている。まず、第１インターネット通信プログラムを実行し、データ処理を行うために使用されるマイクロプロセッサ６１１である。前記マイクロプロセッサ６１１の実施はこの技術分野の者が周知のものであるため、ここではこれ以上説明しないことにする。次に、マイクロプロセッサ６１１に結合され、データへのアクセスを提供するために使用されるメモリモジュール６１２である。本実施例では、メモリモジュール６１２は非揮発性メモリユニット（例えば、フラッシュメモリ）および揮発性メモリユニット（例えば、ダイナミックＲＡＭ）（図示せず）を含んでいる。前記メモリモジュール６１２の実施もこの技術分野の者が周知のものであるため、ここではこれ以上説明しないことにする。次に、マイクロプロセッサ６１１と前記インターネットに結合され、ネットワークパケットの伝送および受信を制御するために使用される回線制御回路６１３である。前記回線制御回路６１３もこの技術分野の者が周知のものであるため、ここではこれ以上説明しないことにする。前記回線制御回路６１３、マイクロプロセッサ６１１およびメモリモジュール６１２は、それぞれ分散した独立ユニットであってもよく、また１つのチップに統合することもできる。      
【００５０】
一方、ビデオ音声データソースシステム６３０は、マルチメディアデータをアナログまたはデジタルの形式で、ビデオ音声ポート６３１を介してデータ変換モジュール６２０に送る。純デジタル形式の伝送インターフェースもすでに登場しているが、依然としてアナログ形式の伝送インターフェースが現在最も普及しているインターフェースである。ビデオ音声データソースシステムにはさまざまな型式があり、ＤＶＤプレーヤ（ＤＶＤ  ｐｌａｙｅｒ）、デジタルセットトップボックス（ｓｅｔ  ｔｏｐ  ｂｏｘ）、有線テレビケーブル（ｃａｂｌｅ）から各種ゲーム機（ｇａｍｅ  ｃｏｎｓｏｌｅ）に至るまで、すべてその例である。前記ビデオ音声ポート６３１は、有線テレビ同軸無線周波コネクタ（ｃｏａｘｉａｌ  ＲＦ  ｃｏｎｎｅｃｔｏｒ）ポート、アナログテレビアンテナポート、ＡＶ端子（ＡＶ  ｖｉｄｅｏ）、Ｓ端子（Ｓ  ｖｉｄｅｏ）などのアナログビデオ音声ポートでよい。しかしビデオ音声ポート６３１は、デジタルビジュアルインターフェース（ｄｉｇｉｔａｌ  ｖｉｓｕａｌ  ｉｎｔｅｒｆａｃｅ，ＤＶＩ）ポートのようなデジタルのビデオ音声ポートでもよい。本考案の別の実施例では、ビデオ音声データソースシステム６３０をＣＤプレーヤ（ＣＤ  ｐｌａｙｅｒ）など音声データソースシステムで代替することもできる。この場合、組み合わせるビデオ音声ポート６３１は、アナログの音声ポート（例えば、ダブル音声トラック（ｔｉｐ  ｒｉｎｇ  ｓｌｅｅｖｅ，ＴＲＳ）ポート）でもデジタルの音声ポート（例えば、ソニー／フィリップスのデジタルインターフェース（Ｓｏｎｙ／Ｐｈｉｌｉｐｓ  ｄｉｇｉｔａｌ  ｉｎｔｅｒｆａｃｅ  ｆｏｒｍａｔ，Ｓ／ＰＤＩＦ）ポート）でもよい。本考案の応用はこの限りではなく、既存のまたは将来開発されるその他のビデオ音声ポートおよび音声ポートも本考案の概念に適用できることに留意されたい。
【００５１】
ビデオ音声データソースシステム６３０がＤＶＤプレーヤであり、かつ本考案のマルチメディアデータ転送通信装置６００もリモート装置６９１もすでにインターネットに接続されている状況にあると仮定して、マルチメディアデータの転送のやり方を以下に簡単に説明する。本考案のマルチメディアデータ転送通信装置６００は、ビデオ音声ポート６３１を介して、ＤＶＤプレーヤから送られたマルチメディアデータストリーム（音声ストリームとビデオストリームを含む）を受信した後、まずデータ変換モジュール６２０を利用して圧縮エンコードする。エンコード済みのビデオストリームは、ＭＰＥＧ４（ｍｏｔｉｏｎ  ｐｉｃｔｕｒｅ  ｅｘｐｅｒｔｓ  ｇｒｏｕｐ）、Ｈ．２６４規格、３ＧＰＰ（３ｒｄ  ｇｅｎｅｒａｔｉｏｎ  ｐａｒｔｎｅｒｓｈｉｐ  ｐｒｏｊｅｃｔ）規格などメーカーがサポートすると定義した既公開のビデオ圧縮形式の規格のものでも、メーカーがサポートすると定義した非公開専有（ｐｒｏｐｒｉｅｔａｒｙ）ビデオ圧縮形式の規格のものでもよい。エンコード済みの音声ストリームは、適応マルチレート（ａｄａｐｔｉｖｅ  ｍｕｌｔｉ−ｒａｔｅ，ＡＭＲ）、適応差分パルス符号変調（ａｄａｐｔｉｖｅ  ｄｉｆｆｅｒｅｎｔｉａｌ  ｐｕｌｓｅ  ｃｏｄｅ  ｍｏｄｕｌａｔｉｏｎ，ＡＤＰＣＭ）規格などメーカーがサポートすると定義した既公開のビデオ圧縮形式の規格のものでも、メーカーがサポートすると定義した非公開専有（ｐｒｏｐｒｉｅｔａｒｙ）音声圧縮形式の規格のものでもよい。但し、本考案の応用はこの限りではなく、既存のまたは将来開発される他のビデオ圧縮形式の規格や音声圧縮形式の規格も本考案の概念に適用できる。
【００５２】
さらに、制御ユニット６１０は、前記エンコード済みのビデオストリームと音声ストリームを複数個のネットワークパケットに構成し、次にインターネットプロトコル（ｉｎｔｅｒｎｅｔ  ｐｒｏｔｏｃｏｌ，ＩＰ）（セッション開始プロトコル（ＳＩＰ）など）をサポートする前記第１インターネット通信プログラムを利用し、インターネットの回線を介してリモート装置６９０（インターネットプロトコル（セッション開始プロトコルなど）をサポートする第２インターネット通信プログラムを搭載済み）に伝送し、最後に、リモート装置６９０は前記ＤＶＤプレーヤが放送する映画を放送するために、前記複数個のネットワークパケットを逆にデコードする。したがって、リモート装置６９０がインターネットに接続できる状況にありさえすれば、リモート装置６９０のユーザはどこにいても、家庭に設置しているＤＶＤプレーヤが放映する映画を鑑賞することができる。リモート装置６９０はデスクトップパソコン、ノート型パソコン、フラットパソコン、パーソナルデジタルアシスタント、デジタルマルチメディアプレーヤや携帯電話などのいずれであってもよい。
【実施例６】
【００５３】
図７は本考案の実施例６の構造説明図である。図７を参照すると、本考案のマルチメディアデータ転送通信装置７００は、制御ユニット６１０、公衆電話網処理ユニット６５０、音声エンコード・デコードユニット７１０、ＡＤ／ＤＡ変換器（ａｎａｌｏｇ  ｔｏ  ｄｉｇｉｔａｌ  ｃｏｎｖｅｒｔｅｒ，ＡＤＣ）７２０、ラジオチューナ（ｒａｄｉｏ  ｔｕｎｅｒ）７３０、電話プッシュボタンキーボード７５０、マイクロフォン７６０、スピーカ７７０、ＤＡ変換器（ｄｉｇｉｔａｌ  ｔｏ  ａｎａｌｏｇ  ｃｏｎｖｅｒｔｅｒ，ＤＡＣ）７７１、スロット７８０および１つのＲＪ−１１のポート６６０を備えている。
【００５４】
実施例５と比較すると、実施例６においては、ユーザインターフェース回路７４０は周知の電話受話器を利用して実施する。この電話受話器は、電話プッシュボタンキーボード７５０、マイクロフォン７６０およびスピーカ７７０を備えている。また、データ変換モジュール６２０は、音声エンコード・デコードユニット７１０とＡＤ／ＤＡ変換器７２０を利用して実施する。本考案は、公衆電話網の通信とインターネットの通信の統合を前提としており、電話プッシュボタンキーボード７５０の出力端は、前記インターネット通信プログラムを介して電話をかけるために、公衆電話網処理ユニット６５０と接続されるだけでなく、制御ユニット６１０とも接続される。同様に、マイクロフォン７６０の出力端は、公衆電話網処理ユニット６５０と接続されるだけでなく、ＡＤ／ＤＡ変換器７２０の入力端とも接続される。
【００５５】
装置７００に電気が通じていない、あるいはインターネット接続ができないとき、公衆電話網処理ユニット６５０（公衆電話網回線６７０への電力のみが使用される）の初期状況が開かれて（ｅｎａｂｌｅｄ）、公衆電話網回線６７０との接続が確保され、如何なる状況下でも６１０、１１９などの緊急電話をかけられるようになっている。装置７００がインターネットと接続できることが確定した場合、制御ユニット６１０は第２スイッチ信号を介して公衆電話網処理ユニット６５０を閉じ（ｄｉｓａｂｌｅｄ）、ユーザはその後に電話をかけ、かけられた電話番号が電話プッシュボタンキーボード７５０を介して直接に制御ユニット６１０に送られ、さらに制御ユニット６１０が前記第１インターネット通信プログラムを介して電話をダイヤルする。一般的に言うと、インターネットプロトコルをサポートするインターネット通信プログラムには、２種類のダイヤルアップ方式があり、１つはピアツーピア（ｐｅｅｒ  ｔｏ  ｐｅｅｒ）方式であり、もう１つはインターネット対公衆電話網方式であり、後者は家庭用電話または携帯電話の電話番号にダイヤルすることができる。したがって、電話をダイヤルする対象が公衆電話網であるか、インターネットであるかに関係なく、支障なくコミュニケーションできる。
【００５６】
装置７００がすでにインターネットに接続されているとき、ユーザがマイクロフォン７６０に向かって音を発すると、ＡＤ／ＤＡ変換器７２０は、まずアナログの音声ストリームをデジタル音声ストリームに変換する。音声エンコード・デコードユニット７１０は音声制御信号（エンコード処理するように設定されている）に基づき、前記デジタル音声ストリームをＡＭＲ形式またはＡＤＰＣＭ形式、または専有（ｐｒｏｐｒｉｅｔａｒｙ）音声圧縮形式に適合したエンコード済み音声ストリームにエンコードする。次に、制御ユニット６１０が前記エンコード済みの音声ストリームを複数個のネットワークパケットに構成し、さらに前記第１インターネット通信プログラムを利用し、スロット７８０を介して無線ＬＡＮ（ｗｉｒｅｌｅｓｓ  ｆｉｄｅｌｉｔｙ，略称ＷｉＦｉ）カード７９０に伝送し、さらに無線接続方式でインターネットに接続し、最後に図６のリモート装置６９０に伝送する。
【００５７】
スロット７８０は、図６のマイクロプロセッサ６１１（図示せず）に接続され、かつ前記無線ＬＡＮカードを接続するために、セキュアデジタル出入力（ｓｅｃｕｒｅ  ｄｉｇｉｔａｌ  ｉｎｐｕｔ／ｏｕｔｐｕｔ，ＳＤＩＯ）インターフェース規格またはユニバーサルシリアルバスインターフェース規格（Ｕｎｉｖｅｒｓａｌ  Ｓｅｒｉａｌ  Ｂｕｓ，ＵＳＢ）のうちの１つをサポートしている。本考案の別の実施例においては、ＲＪ−４５ネットワークポート６８０とスロット７８０を同時に設けることによってインターネットに接続し、有線インターネット接続と無線インターネット接続の２種類の方式を提供して、ユーザが選択できるようにすることができることに留意されたい。ユーザがスロット７８０、無線ＬＡＮカード７９０を利用したインターネット接続を選択したときは、ＲＪ−４５ネットワークポート６８０は不使用の状態に置かれ、ユーザがＲＪ−４５ネットワークポート６８０を利用したインターネット接続を選択したときは、スロット７８０は親指ディスク、ハードディスク、メモリカードなど外付けのメモリ媒体への接続を提供することができる。この場合、スロット７８０は、セキュアデジタルインターフェース規格やユニバーサルシリアルバスインターフェース規格をサポートできるだけでなく、コンパクトフラッシュメモリカード（Ｃｏｍｐａｃｔ  Ｆｌａｓｈ  ｃａｒｄ，ＣＦカード）インターフェース、メモリスティック（ｍｅｍｏｒｙ  ｓｔｉｃｋ）インターフェース、ピクチャメモリカード（ｐｉｃｔｕｒｅ  ｃａｒｄ）インターフェース、スマートメモリカード（Ｓｍａｒｔ  Ｍｅｄｉａ  ｃａｒｄ，ＳＭカード）インターフェース、マイクロハードディスク（ｍｉｃｒｏｄｒｉｖｅ）インターフェースやマルチメディアメモリカード（Ｍｕｌｔｉ  Ｍｅｄｉａ  ｃａｒｄ，ＭＭＣカード）などのインターフェースの規格もサポートする。
【００５８】
装置７００について言うと、リモート装置６９０のユーザの声はマイクロフォンを介して、前記と同様のアナログ／デジタル変換およびエンコード手順を経た後、ネットワークパケットの形式で前記第２インターネット通信プログラムおよびインターネットを経由して制御ユニット６１０に返送される。続いて、制御ユニット６１０が音声制御信号（デコード処理するように設定されている）を生成する。これらの返送されたネットワークパケットは同時に音声エンコード・デコードユニット７１０にも伝送されてデコードされ、デコード済みの音声信号は再び制御ユニット６１０に返送される。最後に、制御ユニット６１０がこれらのデコード済みの音声信号を、ＤＡ変換器７７１を介してスピーカ７７０に伝送する。このとき、装置７００のユーザはリモート装置６９０のユーザの声を聞くことができる。
【００５９】
また、実施例５と比較した場合の相違点は、実施例６は受信ユニットとしてラジオチューナ７３０も備えていることである。ラジオチューナ７３０は、受信したアナログ音声データをＡＤ／ＤＡ変換器７２０に送る。その後の処理は前記のユーザがマイクロフォン７６０に向かって声を発してからインターネットを介して伝送する手順と全く同じであるため、これ以上は説明しないことにする。したがって、リモート装置６９０がインターネットに接続できる状況にありさえすれば、リモート装置６９０のユーザはどこにいても、装置７００（ラジオチューナ７３０）が受信した番組を聞くことができる。ラジオチューナ７３０はアナログチューナであるため、その後段の回路にＡＤ／ＤＡ変換器７２０を直列に接続してデジタル形式に変換する必要があることを指摘しておきたい。本考案の別の実施例では、ラジオチューナ７３０がデジタルチューナであれば、その後段の回路にＡＤ／ＤＡ変換器７２０を直列に接続する必要はなく、直接音声エンコード・デコードユニット７１０に接続する。
【００６０】
リモート装置６９０のユーザについて言えば、最初からラジオチューナ７３０が受信したいかなる番組も受動的に視聴するほかに、リモート装置６９０のユーザは、主体的に無線チャネルを選択することもできる。つまり、第２インターネット通信プログラムを搭載することにより、このユーザ設定（ラジオの選局設定を含む）が制御ユニット６１０に返送される。制御ユニット６１０はこれを受け取ると、ユーザの選局設定に基づき、選局信号を介してラジオチューナ７３０のチャネルを変える。場合によっては、電力消費節約のために、リモート装置６９０のユーザは同様の手順でラジオチューナ７３０を切る（ｔｕｒｎ  ｏｆｆ）（第１スイッチ信号を介して）こともできる。
【００６１】
図８は本考案の実施例７の構造説明図である。図８を参照すると、本考案のマルチメディアデータ転送通信装置８００は、制御ユニット６１０、公衆電話網処理ユニット６５０、音声エンコード・デコードユニット７１０、ビデオエンコード・デコードユニット８５０、２つのＡＤ／ＤＡ変換器７２０、８４０、テレビチューナ（ＴＶ  ｔｕｎｅｒ）８３０、電話プッシュボタンキーボード７５０、マイクロフォン７６０、スピーカ７７０、ＤＡ変換器７７１、液晶ディスプレイ（ｌｉｑｕｉｄ  ｃｒｙｓｔａｌ  ｄｉｓｐｌａｙ，ＬＣＤ）モジュール８８０、映像取得ユニット８９０、ＲＪ−４５ネットワークポート６８０およびＲＪ−１１のポート６６０を備えている。
【００６２】
実施例６と比較すると、実施例７の相違点は、受信ユニットとしてテレビチューナ８３０を使用するため、映像データの処理が加わっていることである。例えば、テレビチューナ８３０の出力は、同時に音声とビデオの２種類のストリームを含んでいる。したがって、実施例７では、ＡＤ／ＤＡ変換器８４０およびビデオエンコード・デコードユニット８５０を増設してテレビチューナ８３０から送られるビデオストリームを処理する。その処理の方式は前記の音声ストリームの場合と全く同じであるため、ここではこれ以上説明しないことにする。次に、制御ユニット６１０から送り出されるネットワークパケットは、音声とビデオを同時に含むマルチメディデータパケットである。最後に、リモート装置６９０は前記テレビチューナ８３０が受信した番組を放送するために、前記複数個のネットワークパケットを逆にデコードする。したがって、リモート装置６９０がインターネットに接続できる状況にありさえすれば、リモート装置６９０のユーザはどこにいても、前記テレビチューナ８３０が受信した番組を鑑賞することができ、いかなる実況中継の球技試合も逃すことがなくなる。同様に、リモート装置６９０のユーザは主体的にテレビチャネルを選択することもでき、第２インターネット通信プログラムを搭載することにより、このユーザ設定（テレビチャネルの選局設定を含む）が制御ユニット６１０に返送される。制御ユニット６１０はこれを受け取ると、ユーザの選局設定に基づき、選局信号を介してテレビチューナ８３０のチャネルを変える。場合によっては、電力消費節約のために、リモート装置６９０のユーザは同様の手順でテレビチューナ８３０を切る（ｔｕｒｎ  ｏｆｆ）（第１スイッチ信号を介して）こともできる。テレビチューナ８３０は、衛星受信機で代替することもできる。
【実施例７】
【００６３】
実施例７はＩＰ電話がかけられるだけでなく、ユーザインターフェース回路に液晶表示モジュール（液晶ディスプレイおよび液晶表示制御ユニット（図示せず）を含む）８８０と映像取得ユニット８９０を増設したため、実施例７はさらにＩＰテレビ電話もかけることができることを指摘しておきたい。ＩＰテレビ電話の使用過程における音声の部分は、すでに実施例６で説明済みであるため、ここではこれ以上説明をしないことにする。映像の部分については映像取得ユニット８９０がユーザ映像を取得してから、映像データをビデオエンコード・デコードユニット８５０に伝送してビデオエンコード処理し、さらに制御ユニット６１０に伝送する。続いて制御ユニット６１０が前記エンコード済みのビデオストリームと音声ストリームを複数個のネットワークパケットに構成し、次に前記第１インターネット通信プログラムを利用し、インターネットの回線を介してリモート装置６９０に伝送する。リモート装置６９０に液晶表示モジュールと映像取得ユニットも配置してある場合は、返送されたネットワークパケットにもエンコード済みのビデオ信号と音声信号が含まれていることがあり、制御ユニット６１０は、音声エンコード・デコードユニット７１０とビデオエンコード・デコードユニット８５０がデコード処理し易くなるように、音声制御信号とビデオ制御信号（いずれもデコード処理するように設定されている）を生成する。デコード済みのデータは制御ユニット６１０に戻して格納される。次に、制御ユニット６１０はさらにデコード済みの音声信号を、ＤＡ変換器７７１を介してスピーカ７７０に伝送し、デコード済みのビデオ信号を液晶表示モジュール８８０に伝送する。最後に、マルチメディアデータ転送通信装置８００のユーザが、リモート装置６９０のユーザの声と映像を同時に見て聞くことができるようになる。全使用過程において、制御ユニット６１０はさらに眼前の装置８００のソフトウェアとハードウェアの状態、リモート装置６９０の状態、インターネットの回線接続の状態や通信の状態を、液晶表示モジュール８８０を介してユーザに、インターネットに接続できない、ＩＰ電話の受話側に受ける人がいないなどを知らせて、ユーザに使用情報を十分把握させることができる。
【００６４】
本考案の前記実施例５、実施例６、実施例７では、マルチメディアデータストリームに１つの供給源（ｓｏｕｒｃｅ）しかないとして説明したことに留意されたい。例えば、実施例５ではビデオ音声データソースシステム６３０、実施例６ではラジオチューナ７３０、実施例７ではテレビチューナ８３０というように。しかし、ハードウェアが相互サポートできることを前提として、実際に応用するときには、マルチメディアデータストリームの送り込みを提供することのできる複数個の供給源を設けることができる。本考案のもう１つの実施例においては、テレビチューナ８３０を設けることができる以外に、前記ビデオ音声データソースシステム６３０のマルチメディアデータの送り込みを提供するために、ビデオ音声ポート（例えば、Ｓ端子やＡＶ端子など）を設けることもできるし、あるいはさらに、音声データソースシステムのマルチメディアデータの送り込みを提供するために、音声ポート（例えば、アナログのダブル音声トラックＴＲＳポートやデジタルのＳ／ＰＤＩＦポート）を設けることもできる。
【００６５】
以上を総合すると、音声エンコード・デコードユニット７１０、ビデオエンコード・デコードユニット８５０、データ変換モジュール６２０はすべてソフトウェア方式で実施可能であり、公衆電話網、インターネットおよびビデオ音声データソースシステムと接続された構造においては、本考案は簡単なハードウェア構造および低廉なハードウェアコストで、公衆電話網の通信とインターネットの通信を統合するだけでなく、どこでもマルチメディア番組を見る（聞く）という目的を実現し、さらに量産と商品化に非常に適している。
【００６６】
以上の実施例は本考案の実施形態の例を挙げ、本考案の技術的特徴を説明するために用いたものに過ぎず、本考案の範疇を制限するものではない。この技術に熟練した者なら、誰でも容易に達成可能な変更または同等の構成は、すべて本考案の主張する範囲に属するものであり、本考案の範囲は、請求の範囲を基準とすべきである。
【図面の簡単な説明】
【００６７】
【図１】本考案の実施例１の構造説明図である。
【図２】本考案の実施例２の構造説明図である。
【図３】データ変換モジュールの詳細構造図である。
【図４】本考案の実施例３の構造説明図である。
【図５】本考案の実施例４の構造説明図である。
【図６】本考案の実施例５の構造説明図である。
【図７】本考案の実施例６の構造説明図である。
【図８】本考案の実施例７の構造説明図である。
【符号の説明】
【００６８】
１００  テレビ
１０１  マルチメディアデータストリーム
１０２  マルチメディアパケット
１０３  表示信号
１０４  音声信号
１０５  第１ネットワークパケット
１０６  第２ネットワークパケット
１１０  制御ユニット
１１１  マイクロプロセッサ
１１２  メモリモジュール
１１３  ネットワーク制御回路
１２０  データ変換モジュール
１３０  ビデオ音声データソースシステム
１３１  ビデオ音声入力ポート
１３２  ビデオ音声出力ポート
１７０  テレビ処理ユニット
１８０  表示ユニット
１８２  スピーカ
１９０  ＲＪ−４５ネットワークポート
１９１〜１９Ｎ  リモート装置
２００  テレビ
２２０  データ変換モジュール
２４０  ユーザインターフェース
２３０〜２３Ｎ  テレビチューナ
２４１  第１ＲＪ−１１ポート
２５０  公共電話網回線
２５１  第２ＲＪ−１１ポート
２６２  アンテナ
２６４  ケーブル
２７０  公共電話網処理ユニット
２８１  第１スイッチ信号
２８２  第２スイッチ信号
２８Ｎ  第Ｎスイッチ信号
２９１  第１選局信号
２９２  第２選局信号
２９Ｎ  第Ｎ選局信号
３２０、３３０  エンコード・デコード装置
３２１、３２３  音声エンコード・デコードユニット
３２２、３２４  ビデオエンコード・デコードユニット
３２５、３２７  第１ＡＤ／ＤＡ変換器
３２６、３２８  第２ＡＤ／ＤＡ変換器
４００  テレビ
４１０  液晶表示モジュール
４１５  プッシュボタン
４２０  映像取得ユニット
４２５  送話器
４４０  ユーザインターフェース
４４１  第１電話線ポート
４５０  メモリ媒体
４５１、４６１  スロット
４６０  無線ＬＡＮカード
４７０  ビデオエンコード・デコードユニット
４８０  音声エンコード・デコードユニット
５００  テレビボックス
６００  マルチメディアデータ転送通信装置
６１０  制御ユニット
６１１  マイクロプロセッサ
６１２  メモリモジュール
６１３  ネットワーク制御回路
６２０  データ変換モジュール
６３０  ビデオ音声データソースシステム
６３１  ビデオ音声ポート
６４０  ユーザインターフェース回路
６５０  公衆電話網処理ユニット
６６０  ＲＪ−１１ポート
６７０  公衆電話網回線
６８０  ＲＪ−４５ポート
６９０  リモート装置
７００  マルチメディアデータ転送通信装置
７１０  音声エンコード・デコードユニット
７２０  ＡＤ／ＤＡ変換器
７３０  ラジオチューナ
７４０  ユーザインターフェース回路
７５０  電話プッシュボタンキーボード
７６０  マイクロフォン
７７０  スピーカ
７７１  ＤＡ変換器
７８０  スロット
７９０  無線ＬＡＮカード
８００  マルチメディアデータ転送通信装置
８３０  テレビチューナ
８４０  ＡＤ／ＤＡ変換器
８５０  ビデオエンコード・デコードユニット
８８０  液晶表示モジュール
８９０  映像取得ユニット
【図１】
0003137353.tif 000003
【図２】
0003137353.tif 000004
【図３】
0003137353.tif 000005
【図４】
0003137353.tif 000006
【図５】
0003137353.tif 000007
【図６】
0003137353.tif 000008
【図７】
0003137353.tif 000009
【図８】
0003137353.tif 000010